(57)【要約】【課題】任意の数の貫通孔が任意の位置に設けられた場合でも防湿性を保つ。【解決手段】情報表示媒体１の表裏を貫通した貫通孔２ａ，２ｂを有するものの、表裏を覆う防湿シート３０ａ，３０ｂが、積層体３の表面及び端面のみならず、貫通孔２ａ，２ｂの内側面を覆っている。【選択図】図１
2018163221.tif 000002
【特許請求の範囲】
【請求項１】
一方の面に表示電極が形成されたベース基材と、前記ベース基材の前記表示電極が形成された面に対向して配置された透明電極と、前記ベース基材と前記透明電極との間に配置され、前記表示電極と前記透明電極との間の電位差によって情報を可変表示する情報表示層とを有する積層体の表裏が防湿シートによって覆われてなる情報表示媒体において、
前記情報表示媒体の表裏を貫通した貫通孔を有し、
前記防湿シートは、前記積層体の表裏及び端面、並びに前記貫通孔の内側面を覆っていることを特徴とする情報表示媒体。
【請求項２】
請求項１に記載の情報表示媒体の製造方法であって、
前記ベース基材の一方の面に前記表示電極を形成する工程と、
前記ベース基材の前記表示電極が形成された面に前記情報表示層及び前記透明電極を積層し、前記ベース基材と前記情報表示層と前記透明電極とが積層されてなる積層体を作製する工程と、
前記積層体の前記貫通孔が形成される領域に、前記貫通孔よりも径が大きな仮貫通孔を前記積層体の表裏を貫通して形成する工程と、
前記積層体を、該積層体よりも外形が大きな２枚の前記防湿シートで表裏から挟み込み、前記２枚の防湿シートを、前記積層体の周縁部及び前記仮貫通孔内にて互いに接着する工程と、
前記仮貫通孔内に前記貫通孔を形成する工程とを有する、情報表示媒体の製造方法。
【発明の詳細な説明】
【技術分野】
【０００１】
本発明は、情報を可変表示する情報表示媒体に関し、特に、防湿性を保つ技術に関する。
【背景技術】
【０００２】
従来、情報を表示する表示装置として、ＣＲＴディスプレイや液晶ディスプレイ、プラズマディスプレイ等が用いられている。これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。また、上述したような表示装置に加えて、紙のように薄い薄型の情報表示媒体が普及している。このような情報表示媒体は、一方の面に表示電極が形成された電極基板と、一方の面の全面に透明電極が設けられた透明基板とが情報表示層を介して積層されて構成されており、表示電極と透明電極との間の電位差によって情報表示層にて情報が可変表示される。
【０００３】
ところで、上記のような情報表示媒体においては、特に情報表示層に水分が侵入した場合、表示品質が著しく低下してしまう。そこで、情報表示媒体の表裏を防湿シートで覆うことで、防湿性を向上させて内部への水分の侵入を回避する技術が、特許文献１に開示されている。しかしながら、機能あるいは外観上の効果等の理由から、情報表示媒体に貫通孔を設けたいという要求がある場合、上記のように表裏を防湿シートで覆ったとしても、貫通孔の内側面においては情報表示層が露出しているため、水分の浸入を防止できない。
【０００４】
ここで、上述したような情報表示媒体において、電子インクを封入しない作業領域を予め設けておき、その作業領域にて綴じ穴を開けることができるようにした電子ペーパーが、特許文献２に開示されている。この技術を用いれば、情報表示層を有する情報表示媒体であっても、表示品質を著しく低下させることなく貫通孔を設けることができるようになる。
【先行技術文献】
【特許文献】
【０００５】
【特許文献１】特許第４９８４４６３号公報
【特許文献２】特許第５０５２４２７号公報
【発明の概要】
【発明が解決しようとする課題】
【０００６】
しかしながら、特許文献２に開示された技術は、貫通孔を開ける箇所に電子インクを封入しないことでインクの漏れを防止するものであり、貫通孔を開けた部分の防湿性を保つ構造にはなっていない。そのため、貫通孔を開けた部分から水分が内部に侵入してきてしまう虞がある。また、電子インクを封入しない予め決められた作業領域に対してしか貫通孔を設けることができず、貫通孔を設ける位置や貫通孔の数の変更といった柔軟な対応が困難であるという問題点がある。
【０００７】
本発明は、上述したような従来の技術が有する問題点に鑑みてなされたものであって、任意の数の貫通孔が任意の位置に設けられた場合でも防湿性を保つことができる情報表示媒体及びその製造方法を提供することを目的とする。
【課題を解決するための手段】
【０００８】
上記目的を達成するために本発明は、
一方の面に表示電極が形成されたベース基材と、前記ベース基材の前記表示電極が形成された面に対向して配置された透明電極と、前記ベース基材と前記透明電極との間に配置され、前記表示電極と前記透明電極との間の電位差によって情報を可変表示する情報表示層とを有する積層体の表裏が防湿シートによって覆われてなる情報表示媒体において、
前記情報表示媒体の表裏を貫通した貫通孔を有し、
前記防湿シートは、前記積層体の表裏及び端面、並びに前記貫通孔の内側面を覆っていることを特徴とする。
【０００９】
上記のように構成された本発明においては、一方の面に表示電極が形成されたベース基材と、ベース基材の表示電極が形成された面に対向して配置された透明電極と、ベース基材と透明電極との間に配置され、表示電極と透明電極との間の電位差によって情報を可変表示する情報表示層とを有する積層体の表裏が防湿シートによって覆われてなる情報表示媒体において、情報表示媒体の表裏を貫通した貫通孔を有するものの、防湿シートが、積層体の表裏及び端面のみならず、貫通孔の内側面を覆っているので、任意の数の貫通孔が任意の位置に設けられた場合でも防湿性が保たれることになる。
【００１０】
このような情報表示媒体の製造方法としては、
前記ベース基材の一方の面に前記表示電極を形成する工程と、
前記ベース基材の前記表示電極が形成された面に前記情報表示層及び前記透明電極を積層し、前記ベース基材と前記情報表示層と前記透明電極とが積層されてなる積層体を作製する工程と、
前記積層体の前記貫通孔が形成される領域に、前記貫通孔よりも径が大きな仮貫通孔を前記積層体の表裏を貫通して形成する工程と、
前記積層体を、該積層体よりも外形が大きな２枚の前記防湿シートで表裏から挟み込み、前記２枚の防湿シートを、前記積層体の周縁部及び前記仮貫通孔内にて互いに接着する工程と、
前記仮貫通孔内に前記貫通孔を形成する工程とを有するものが考えられる。
【００１１】
このような製造方法を採用することで、一方の面に表示電極が形成されたベース基材と、ベース基材の表示電極が形成された面に対向して配置された透明電極と、ベース基材と透明電極との間に配置され、表示電極と透明電極との間の電位差によって情報を可変表示する情報表示層とを有するとともに、表裏を貫通した貫通孔が設けられた情報表示媒体の表裏及び端面、並びに貫通孔の内側面を防湿シートで覆った構成を容易に実現することができる。
【発明の効果】
【００１２】
本発明によれば、情報表示媒体の表裏を貫通した貫通孔を有する構成において、ベース基材と透明電極と情報表示層とを有する積層体の表裏を覆う防湿シートが、積層体の表裏及び端面のみならず、貫通孔の内側面を覆っているため、任意の数の貫通孔が任意の位置に設けられた場合でも防湿性を保つことができる。
【００１３】
また、このような情報表示媒体を、ベース基材と情報表示層と透明電極とが積層されてなる積層体の前記貫通孔が形成される領域に、貫通孔よりも径が大きな仮貫通孔を積層体の表裏を貫通して形成し、次に、積層体を、積層体よりも外形が大きな２枚の防湿シートで表裏から挟み込み、２枚の防湿シートを、積層体の周縁部及び仮貫通孔内にて互いに接着し、その後、仮貫通孔内に貫通孔を形成することで製造することにより、表裏を貫通した貫通孔が設けられた情報表示媒体の表裏及び端面、並びに貫通孔の内側面を防湿シートで覆った構成を容易に実現することができる。
【図面の簡単な説明】
【００１４】
【図１】本発明の情報表示媒体の実施の一形態を示す図であり、（ａ）は表面図、（ｂ）は（ａ）に示したＡ−Ａ’断面図、（ｃ）は情報表示層の構成を示す断面図である。
【図２】図１に示した情報表示媒体の製造方法を説明するための図である。
【図３】図１に示した情報表示媒体の製造方法を説明するための図である。
【図４】図１に示した情報表示媒体の使用形態の一例を示す図である。
【発明を実施するための形態】
【００１５】
以下に、本発明の実施の形態について図面を参照して説明する。
【００１６】
図１は、本発明の情報表示媒体の実施の一形態を示す図であり、（ａ）は表面図、（ｂ）は（ａ）に示したＡ−Ａ’断面図、（ｃ）は情報表示層２３の構成を示す断面図である。
【００１７】
本形態は図１に示すように、ベース基材１０上に電子ペーパー２０が積層された積層体３を有する構成において、積層体３の表裏が防湿シート３０ａ，３０ｂで覆われ、さらに表裏貫通した２つの円形の貫通孔２ａ，２ｂが設けられてなる情報表示媒体１である。
【００１８】
ベース基材１０は、例えば、ＰＥＴ（ポリエチレンテレフタレート）フィルムやＰＥＮ（ポリエチレンナフタレート）フィルム等の絶縁性材料からなり、その一方の面の一部に、銀等を主成分とする導電性ペーストを用いた印刷によって表示電極１１が形成されている。また、表示電極１１には、表示電極１１に電気信号を伝達することで電圧を印加するための配線（不図示）が形成されている。
【００１９】
電子ペーパー２０は、ベース基材１０の表示電極１１が形成された面上に、表示電極１１に重なるように積層され、接着剤（不図示）によってベース基材１０に接着されている。電子ペーパー２０は、情報表示層２３、透明電極２２及び透明基材２１がこの順で積層され、情報表示層２３側がベース基材１０との接着面となってベース基材１０に接着されている。これにより、ベース基材１０の表示電極１１が形成された面に透明電極２２が対向して配置され、ベース基材１０と透明電極２２との間に情報表示層２３が配置された構成となっている。
【００２０】
情報表示層２３は、図１（ｃ）に示すように、隔壁２３ｃで囲まれた領域に、帯電性粒子２３ａが分散した隔壁内液体２３ｂが収容されて構成されている。
【００２１】
貫通孔２ａ，２ｂは、ベース基材１０の表示電極１１が形成された領域及び電子ペーパー２０が設けられた領域にて情報表示媒体１の表裏を貫通して形成されている。
【００２２】
防湿シート３０ａ，３０ｂは、例えば、ＰＥＴ（ポリエチレンテレフタレート）フィルム等の防湿性を有する透明な材料からなり、一方の面にホットメルト等の接着手段（不図示）が付与されており、積層体３よりも大きな外形を有する。防湿フィルム３０ａは、接着手段が付与された面が積層体３に対向するようにして積層体３の表面となる電子ペーパー２０側の面を覆うとともに、貫通孔２ａ，２ｂ内まで入り込んでいる。防湿フィルム３０ｂは、接着手段が付与された面が積層体３に対向するようにして積層体３の裏面となるベース基材１０側の面を覆うとともに、貫通孔２ａ，２ｂ内まで入り込んでいる。そして、防止シート３０ａ，３０ｂは、積層体３よりも大きな外形を有することで、積層体３の周縁部にて接着手段によって互いに接着されているとともに、貫通孔２ａ，２ｂに入り込んだ部分にて接着手段によって互いに接着されている。それにより、積層体３の端面と、貫通孔２ａ，２ｂの内側面とが、それぞれ防湿シート３０ａ，３０ｂによって覆われている。
【００２３】
上記のように構成された情報表示媒体１においては、透明電極２２及び表示電極１１に接続されたコントローラー（不図示）により、透明電極２２に所定の電圧が印加された状態で、電子ペーパー２０にて表示する色に応じて表示電極１１に２種類の電圧が選択的に印加されることによって、情報表示層２３に透明電極２２と表示電極１１との間の電位差による電位が付与される。すると、帯電性粒子２３ａが、付与された電位に応じて、透明電極２２側あるいは表示電極１１側に隔壁内液体２３ｂ内を移動し、隔壁内液体２３ｂが染料または顔料で着色されており、帯電性粒子２３ａが高屈折率の光散乱成分を含むことで、帯電性粒子２３ａが透明電極２２側に移動した場合と、帯電性粒子２３ａが表示電極１１側に移動した場合とで、透明基材２１側から視認される色が異なることとなる。
【００２４】
このように本形態における情報表示媒体１においては、情報表示媒体１の表裏を貫通した貫通孔２ａ，２ｂを有するものの、表裏を覆う防湿シート３０ａ，３０ｂが、積層体３の表面及び端面のみならず、貫通孔２ａ，２ｂの内側面を覆っているので、任意の数の貫通孔が任意の位置に設けられた場合でも、防湿性が保たれ、内部への水分の侵入を防止することができる。
【００２５】
なお、貫通孔２ａ，２ｂは、円形に限定されるものではなく、またそれぞれが異なる形状であってもよい。
【００２６】
以下に、上述した情報表示媒体１の製造方法について説明する。
【００２７】
図２及び図３は、図１に示した情報表示媒体１の製造方法を説明するための図であり、図２は、表面図、図３は、図２に示したＡ−Ａ’断面図である。
【００２８】
図１に示した情報表示媒体１を製造する場合は、まず、ベース基材１０上に、導電性ペーストを用いた印刷によって表示電極１１及びそれに接続された配線を形成する（図２（ａ），図３（ａ））。なお、表示電極１１は、貫通孔２ａ，２ｂが形成される領域において、貫通孔２ａ，２ｂよりも一回り大きな領域を除くように形成された形状となっている。
【００２９】
次に、ベース基材１０の表示電極１１が形成された面上に、情報表示層２３、透明電極２２及び透明基材２１がこの順で積層され、情報表示層２３側の面に接着剤が塗工されてなる電子ペーパー２０を、接着剤が塗工された面を積層面として表示電極１１に重なるように積層し、接着剤によってベース基材１０と電子ペーパー２０とを接着し、積層体３を作製する（図２（ｂ），図３（ｂ））。電子ペーパー２０は、表示電極１１と同一の形状を有しているため、表示電極１１上に電子ペーパー２０が重ね合わされたような状態となる。
【００３０】
次に、積層体３の貫通孔２ａ，２ｂが形成される領域に、貫通孔２ａ，２ｂよりも径が大きな仮貫通孔４ａ，４ｂを積層体３の表裏を貫通して形成する（図２（ｃ），図３（ｃ））。この際、表示電極１１が、貫通孔２ａ，２ｂが形成される領域において、貫通孔２ａ，２ｂよりも一回り大きな領域を除くように形成された形状となっており、また、電子ペーパー２０が、表示電極１１と同一の形状を有しているため、仮貫通孔４ａ，４ｂは、表示電極１１及び電子ペーパー２０が存在する領域内にて表示電極１１及び電子ペーパー２０を避けるように形成されることになる。なお、表示電極１１及び電子ペーパー２０においては、仮貫通孔４ａ，４ｂが形成される領域にも存在しており、仮貫通孔４ａ，４ｂの形成とともに一部が削除された形態としてもよい。また、仮貫通孔４ａ，４ｂは、その中心が貫通孔２ａ，２ｂの中心と同一となることが好ましいが、その後に貫通孔２ａ，２が形成される際に、仮貫通孔４ａ，４ｂ内にて防湿シート３０ａ，３０ｂのみに孔が開けられることで貫通孔２ａ，２が形成されるように仮貫通孔４ａ，４ｂが形成されれば、その中心が多少ずれていてもよい。
【００３１】
次に、防湿シート３０ａ，３０ｂで積層体３を表裏から挟み込んで加圧し、防湿シート３０ａ，３０ｂにそれぞれ付与されたホットメルト等の接着手段によって、防湿シート３０ａ，３０ｂを積層体３に貼り付ける（図２（ｄ），図３（ｄ））。この際、積層体３を防湿シート３０ａ，３０ｂによって挟み込んだ状態で加圧することで、積層体３の周縁部と、仮貫通孔４ａ，４ｂ内において、２枚の防湿シート３０ａ，３０ｂが互いに接着されることになる。
【００３２】
その後、仮貫通孔４ａ，４ｂ内に貫通孔２ａ，２ｂを形成する（図２（ｅ），図３（ｅ））。この際、仮貫通孔４ａ，４ｂが、貫通孔２ａ，２ｂよりも径が大きなものであるため、貫通孔２ａ，２ｂは、仮貫通孔４ａ，４ｂ内にて防湿シート３０ａ，３０ｂのみに孔が開けられることで形成されることになる。それにより、貫通孔２ａ，２ｂの内側面は、貼り合わされた防湿シート３０ａ，３０ｂによって覆われた状態となる。
【００３３】
このように、貫通孔２ａ，２ｂが形成される領域に、貫通孔２ａ，２ｂよりも径が大きな仮貫通孔４ａ，４ｂを積層体３の表裏を貫通して形成しておき、その状態で積層体３よりも外形が大きな２枚の防湿シート３０ａ，３０ｂで積層体３を表裏から挟み込み、２枚の防湿シート３０ａ，３０ｂを、積層体３の周縁部及び仮貫通孔４ａ，４ｂ内にて互いに接着し、その後、仮貫通孔４ａ，４ｂ内に貫通孔２ａ，２ｂを形成することで図１に示した情報表示媒体１を製造することにより、表裏を貫通した貫通孔２ａ，２ｂが設けられた情報表示媒体１の表裏及び端面、並びに貫通孔２ａ，２ｂの内側面を防湿シート３０ａ，３０ｂで覆った構成を容易に実現することができる。
【００３４】
以下に、上述した情報表示媒体１の使用例について説明する。
【００３５】
図４は、図１に示した情報表示媒体１の使用形態の一例を示す図である。
【００３６】
図１に示した情報表示媒体１は、例えば、図４に示すような情報タグ１０１として使用することが考えられる。本例における情報タグ１０１は、電子ペーパー２０が存在する領域に、情報タグ１０１を携帯しやすくするための帯状物質である紐５が通された貫通孔２ａが情報タグ１０１の表裏を貫通して形成されているものの、図１に示した情報表示媒体１と同様に、この貫通孔２ａの内側面においても、情報タグ１０１の表裏を覆う防湿シート３０ａ，３０ｂによって覆われている。
【００３７】
そのため、紐５を通すために貫通孔２ａが形成された構成においても、貫通孔２ａから内部に水分が侵入することが防止され、さらに、電子ペーパー２０が存在する領域、すなわち任意の領域に貫通孔２ａが形成されたとしても、防湿性を保つことができる。
【符号の説明】
【００３８】
１    情報表示媒体
２ａ，２ｂ    貫通孔
３    積層体
４ａ，４ｂ    仮貫通孔
５    紐
１０    ベース基材
１１    表示電極
２０    電子ペーパー
２１    透明基材
２２    透明電極
２３    情報表示層
２３ａ    帯電性粒子
２３ｂ    隔壁内液体
２３ｃ    隔壁
３０ａ，３０ｂ    防湿シート
１０１    情報タグ
【図１】
2018163221.tif 000003
【図２】
2018163221.tif 000004
【図３】
2018163221.tif 000005
【図４】
2018163221.tif 000006